(57)【特許請求の範囲】
【請求項１】
異なるタイプの複数の情報保持体が設けられた被検物上の情報を読み取る光学読取装置であって、
光を出射する光源と、
前記光源からの光を前記異なるタイプの複数の情報保持体へ導く照射光学系と、
複数の領域に分割された共通の受光素子と、
前記被検物での反射光、透過光のうちいずれかであって、前記異なるタイプの複数の情報保持体のそれぞれの情報を含んだ光を前記受光素子の異なる領域へそれぞれ導く検出光学系と、を備えたことを特徴とする光学読取装置。
【請求項２】
請求項１記載の光学読取装置において、
前記受光素子の出力を増幅するアンプ、前記受光素子の出力を処理する回路がそれぞれ一つずつ設けられることを特徴とする光学読取装置
【請求項３】
前記照射光学系が、前記光源から出射された光の少なくとも一部を透過し少なくとも一部を反射し、少なくとも一部の光を第１の情報保持体へ導く第１のビームスプリッタと、
該第１のビームスプリッタを透過した光の少なくとも一部を第２の情報保持体へ導く、第２のビームスプリッタとを備えたことを特徴とする請求項１または２に記載の光学読取装置。
【請求項４】
異なるタイプの複数の情報保持体が設けられた被検物上の情報を読み取る光学読取装置であって、
光を出射する光源と、
前記光源からの光を前記被検物上に導く照射光学系と、
受光素子と、
前記被検物での反射光、透過光のうちいずれかの光を前記受光素子へ導く検出光学系と、前記照射光学系を出射した光が前記被検物の情報保持体を通過するように、前記被検物と、前記光源，出射光学系，受光素子，前記検出光学系とを相対移動させる搬送手段と、
前記受光素子の出力の時間変化のパターンが記録されたテーブルと、
前記テーブルを参照して、前記受光素子の出力から前記被検物の情報の読取りを行う読取部と、を備えたことを特徴とする光学読取装置。
【請求項５】
請求項４記載の光学読取装置において、前記受光素子が無分割ＰＤであることを特徴とする光学読取装置。
【請求項６】
異なるタイプの複数の情報保持体が設けられた被検物上の情報を読み取る光学読取装置であって、
光を出射する光源と、
前記光源からの光を前記被検物上に導く照射光学系と、
受光素子と、
前記被検物での反射光、透過光のうちいずれかの光を前記受光素子へ導く検出光学系と、前記照射光学系を出射した光が前記被検物の情報保持体を通過するように、前記被検物と、前記光源，出射光学系，受光素子，前記検出光学系とを相対移動させる搬送手段とを有し、
前記出射光学系は、前記被検物上で前記搬送手段の搬送方向と交差する方向で線状または１次元のスポット光列となるように照射し、前記受光素子の受光セルは１次元に配置されたことを特徴とする光学読取装置。
【請求項７】
前記受光素子の出力の時間変化のパターンが記録されたテーブルと、前記テーブルを参照して、前記受光素子の出力から前記被検物の情報の読取りを行う読取部と、を備えたことを特徴とする請求項６に記載の光学読取装置。
【請求項８】
前記異なるタイプの複数の情報保持体が、情報を有する凹凸または貫通穴、情報を有する回折素子、及び情報を有する印刷パターンのうちのいずれかであることを特徴とする請求項１から請求項７の何れか１項に記載の光学読取装置。
【請求項９】
前記照射光学系、前記検出光学系のうち少なくとも一方は、光ファイバであることを特徴とする請求項１から請求項８の何れか１項に記載の光学読取装置。
【発明の詳細な説明】
【０００１】
【発明の属する技術分野】
情報を有する凹凸または貫通穴、情報を有する回折素子、情報を有する印刷パターンのうち少なくとも２つの情報保持体が設けられた被検物を読み取る光学読取装置に関する。
【０００２】
【従来の技術】
情報が記録された被検物に対して光を照射し、被検物上の情報を読み取る光学読取装置において、受光素子は１個で１機能を持つのが普通であった。
【０００３】
【発明が解決しようとする課題】
被検物上に複数のタイプの情報（例えば、エンボス等の凹凸または貫通穴による情報，ホログラム等の回折素子による情報，印刷による情報）があり、それぞれを読み取る場合には、それぞれの情報に対して光源、受光素子、光学系、光源のドライバ，受光素子の出力を増幅するアンプ，受光素子の出力を処理する回路等を設けている。
【０００４】
そのため、装置が大きくなり、コストもかかる問題点がある。
本発明は、上記問題点に鑑みてなされたもので、その課題は、コンパクトで低コストな光学読取装置を提供することにある。
【０００５】
【課題を解決するための手段】
上記課題を解決する請求項１記載の発明は、異なるタイプの複数の情報保持体が設けられた被検物上の情報を読み取る光学読取装置であって、光を出射する光源と、前記光源からの光を前記情報保持体へ導く照射光学系と、複数の領域に分割された共通の受光素子と、前記被検物での反射光、透過光のうちいずれかであって、前記異なるタイプの複数の情報保持体のそれぞれの情報を含んだ光を前記受光素子の異なる領域へそれぞれ導く検出光学系とを備えたことを特徴とする光学読取装置である。
【０００６】
複数の領域に分割された共通の受光素子と、前記被検物での反射光、透過光のうちいずれかであって、前記異なるタイプの複数の情報保持体のそれぞれの情報を含んだ光を前記受光素子の異なる領域へそれぞれ導く検出光学系とを備えたことにより、異なるタイプの複数の情報保持体の情報を読み取る場合でも、受光素子の出力を増幅するアンプ、前記受光素子の出力を処理する回路等が１つで済み、装置がコンパクトで低コストとなる。
請求項２記載の発明は、請求項１記載の光学読取装置において、前記受光素子の出力を増幅するアンプ、前記受光素子の出力を処理する回路がそれぞれ一つずつ設けられることを特徴とする光学読取装置である。
請求項３記載の発明は、前記照射光学系が、前記光源から出射された光の少なくとも一部を透過し少なくとも一部を反射し、少なくとも一部の光を第１の情報保持体へ導く第１のビームスプリッタと、該第１のビームスプリッタを透過した光の少なくとも一部を第２の情報保持体へ導く、第２のビームスプリッタを備えたことを特徴とする請求項１または２に記載の光学読取装置。このような構成により、装置をさらにコンパクトにできる。
【０００７】
請求項４記載の発明は、異なるタイプの複数の情報保持体が設けられた被検物上の情報を読み取る光学読取装置であって、光を出射する光源と、前記光源からの光を前記被検物上に導く照射光学系と、受光素子と、前記被検物での反射光、透過光のうちいずれかの光を前記受光素子へ導く検出光学系と、前記照射光学系を出射した光が前記被検物の情報保持体を通過するように、前記被検物と、前記光源，出射光学系、受光素子、前記検出光学系とを相対移動させる搬送手段と、前記受光素子の出力の時間変化のパターンが記録されたテーブルと、前記テーブルを参照して、前記受光素子の出力から前記被検物の情報の読取りを行う読取部と、を備えたことを特徴とする光学読取装置である。
【０００８】
前記照射光学系を出射した光が前記被検物の情報保持体を通過するように、前記被検物と、前記光源，出射光学系，受光素子，前記検出光学系とを相対移動させる搬送手段とを備えたことにより、１つの光源，出射光学系，受光素子，前記検出光学系で済み、装置がコンパクトで低コストとなる。また、前記受光素子の出力の時間変化のパターンが記録されたテーブルと、前記テーブルを参照して、前記受光素子の出力から前記被検物の情報の読取りを行う読取部とを備えたことにより、前記被検物上の情報の読取り精度、および読取り速度が向上する。
請求項６記載の発明は、異なるタイプの複数の情報保持体が設けられた被検物上の情報を読み取る光学読取装置であって、光を出射する光源と、前記光源からの光を前記被検物上に導く照射光学系と、受光素子と、前記被検物での反射光、透過光のうちいずれかの光を前記受光素子へ導く検出光学系と、前記照射光学系を出射した光が前記被検物の情報保持体を通過するように、前記被検物と、前記光源，出射光学系，受光素子，前記検出光学系とを相対移動させる搬送手段とを有し、前記出射光学系は、前記被検物上で前記搬送手段の搬送方向と交差する方向で線状または１次元のスポット光列となるように照射し、前記受光素子の受光セルは１次元に配置されたことを特徴とする光学読取装置である。
前記照射光学系を出射した光が前記被検物の情報保持体を通過するように、前記被検物と、前記光源，出射光学系，受光素子，前記検出光学系とを相対移動させる搬送手段とを備えたことにより、１つの光源，出射光学系，受光素子，前記検出光学系で済み、装置がコンパクトで低コストとなる。また、出射光学系は、前記被検物上で前記搬送手段の搬送方向と交差する方向で線状または１次元のスポット光列となるように照射することにより、二次元での読取が行われ、多くの情報を一度に読み取ることができる。
【０００９】
請求項７記載の発明は、前記受光素子の出力の時間変化のパターンが記録されたテーブルと、前記テーブルを参照して、前記受光素子の出力から前記被検物の情報の読取りを行う読取部と、を備えたことを特徴とする請求項６に記載の光学読取装置である。
請求項８に記載の発明は、前記異なるタイプの複数の情報保持体が、情報を有する凹凸または貫通穴、情報を有する回折素子、及び情報を有する印刷パターンのうちのいずれかであることを特徴とする請求項１から請求項７の何れか１項に記載の光学読取装置である。
請求項９記載の発明は、請求項１から請求項８の何れか１項に記載の発明の前記照射光学系、前記検出光学系のうち少なくとも一方は、光ファイバであることを特徴とする光学読取装置である。
【００１０】
前記照射光学系、前記検出光学系のうち少なくとも一方は、光ファイバであることにより、出射光学系や検出光学系の自由度が向上し、装置がコンパクトとなる。
【００１３】
【発明の実施の形態】
次に図面を用いて本発明の実施の形態例を説明する。
（１）第１の実施の形態例
第１の実施の形態例の構成図である図１を用いて説明する。
【００１４】
図において、被検物１上には、３つの情報保持体、すなわち、情報を有する凹凸または貫通穴としてのエンボス３、情報を有する回折素子としてのホログラム５、情報を有する印刷パターン（以下印刷という）７とが設けられている。
【００１５】
読取装置１１には、エンボス３による情報を読み取る第１の読取部２１と、ホログラム５の情報を読み取る第２の読取部２１′と、印刷７の情報を読み取る第３の読取部２１″とが設けられている。
【００１６】
尚、第１の読取部２１と、第２の読取部２１′と、第３の読取部２１″とは、同一構成なので、第１の読取部２１を用いて説明し、第２，第３の読取部２１′，２１″の説明は省略する。
【００１７】
光を出射する光源としてのレーザダイオード２３から出射された光を被検物１上に導く照射光学系は、レーザダイオード２３から出射した光を平行光束とするコリメータレンズ２５と、入射した光を反射光と透過光とに分離するビームスプリッタ２７と、ビームスプリッタ２７で反射した光を集光して被検物１のエンボス３へ照射する対物レンズ２９とで構成される。
【００１８】
また、被検物１上で反射した光を受ける複数の受光セルからなる受光素子としてのＣＣＤ３５へ導く検出光学系３０は、エンボス３で反射した光を集光する対物レンズ２９と、入射した光を反射光と透過光とに分離するビームスプリッタ２７と、ビームスプリッタ２７で透過した光を伝送する光ファイバ３１とで構成される。
【００１９】
本実施の形態例のＣＣＤ３５の受光面３５ａは、図２に示すように、３つの領域に分割され、領域▲１▼には、第１の読取部２１の検出光学系によって導かれた光が入射し、領域▲２▼には、第２の読取部２１′の検出光学系によって導かれた光が入射し、領域▲３▼には、第３の読取部２１″の検出光学系によって導かれた光が入射するように構成されている。
【００２０】
４１はＣＣＤ３５の出力を増幅するアンプ、４３はアンプ４１から出力されるアナログ信号をデジタル信号に変換するＡＤ変換部、４５はＡＤ変換部４３で変換されたデジタル信号を記録するフレームメモリである。
【００２１】
４７はフレームメモリ４５に記録された情報から被検物１上のエンボス３による情報、ホログラム５による情報、印刷７による情報を読み取り、表示部４９に表示すると共に、レーザダイオード２３，２３′，２３″を駆動するドライバ５１，５１′，５１″を制御する制御部である。
【００２２】
上記構成の動作を説明する。
制御部４７は、ドライバ５１，５１′，５１″を介して第１，第２，第３の読取部２１，２１′，２１″のレーザダイオード２３，２３′，２３″を駆動する。各レーザダイオード２３，２３′，２３″から出射された光は、コリメータレンズ２５，２５′，２５″で平行光束とされ、ビームスプリッタ２７，２７′，２７″の反射光は対物レンズ２９，２９′，２９″を介して、被検物１上のエンボス３、ホログラム５、印刷７に照射される。
【００２３】
エンボス３で反射した光は、対物レンズ２９を介してビームスプリッタ２７を透過し、光ファイバ３１によってＣＣＤ３５の領域▲１▼部分に入射する。ＣＣＤ３５の領域▲１▼には、図２に示すように、エンボス３の凹部からの反射光の入射位置（実線位置）と、凸部からの反射光の入射位置（破線位置）とが異なる。
【００２４】
ホログラム５の反射光（回折光）は、対物レンズ２９′を介してビームスプリッタ２７′を透過し、光ファイバ３１′によってＣＣＤ３５の領域▲２▼部分に入射する。ＣＣＤ３５の領域▲２▼には、図２に示すように、ホログラム５の情報に応じた光量分布のパターンが入射する。
【００２５】
印刷７で反射した光は、対物レンズ２９″を介してビームスプリッタ２７″を透過し、光ファイバ３１″によってＣＣＤ３５の領域▲３▼部分に入射する。ＣＣＤ３５の領域▲３▼には、図２に示すように、印刷７に応じた光量分布の光が入射する。
【００２６】
ＣＣＤ３５からの出力は、アンプ４１で増幅され、ＡＤ変換部４３でデジタル信号に変換され、フレームメモリ４５に記録される。
制御部４７は、フレームメモリ４５に記録された情報から、被検物１上のエンボス３による情報、ホログラム５による情報、印刷７による情報を読み取り、表示部４９に表示する。
【００２７】
上記構成によれば、複数の受光セルからなる共通のＣＣＤ３５と、被検物１での反射光であって、被検物１の各情報を含んだ光をＣＣＤ３５へ導く検出光学系とを備えたことにより、被検物１上に複数の異なるタイプの情報、本実施の形態例では、エンボス３による情報、ホログラム５による情報、印刷７による情報を読み取る場合でも、ＣＣＤ３５を増幅するアンプ４１、ＣＣＤ３５の出力を処理する回路であるＡＤ変換部４３，フレームメモリ４５，制御部４７等が１つで済み、装置がコンパクトで低コストとなる。
【００２８】
また、検出光学系に、光ファイバ３１，３１′，３１″を用いたことにより、検出光学系の自由度が向上し、装置がコンパクトとなる。
尚、本発明は、上記実施の形態例に限定するものではない。上記実施の形態例では、被検物１上に３つの異なる情報、すなわち、エンボス３による情報、ホログラム５による情報、印刷７による情報を設けたが、このうち、二つあればよい。
【００２９】
エンボスによる凹凸の情報のほかに、貫通孔による情報であってもよい。
複数の受光セルからなる共通の受光素子として、ＣＣＤ３５を用いたが、他にＣ−ＭＯＳセンサや二次元の多分割ＰＤアレイでよい。
【００３０】
上記実施の形態例では、被検物１の反射光を検出するようにしたが、被検物１が透明体である場合、透過光を検出するようにしてもよい。
さらに、上記実施の形態例では、検出光学系に光ファイバ３１，３１′，３１″を設けたが、出射光学系に光ファイバを使用してもよい。この場合、出射光学系の自由度が向上し、装置がコンパクトになる。
【００３１】
（２）第２の実施の形態例
第２の実施の形態例の構成図である図３を用いて説明する。
本実施の形態例と、第１の実施の形態例との相違点は、１つの検出光学系と１つの照射光学系で、第１の実施の形態例と同一の効果を得るようにした点である。
【００３２】
尚、本実施の形態例と第１の実施の形態例との同一部分には、同一符号を付し、重複した説明は省略する。
図において、５１はコリメータレンズ２５で平行光束とされた光を絞る絞り、５３，５５，５７は入射した光を反射光および透過光に分離するビームスプリッタである。
【００３３】
６１は、被検物１上のエンボス３、ホログラム５、印刷７で反射した光をＣＣＤ６３上に集光する集光レンズである。
本実施の形態例のＣＣＤ６３の受光面６３ａは、図４に示すように、３つの領域に分割され、領域▲１▼には、エンボス３で反射した光が入射し、領域▲２▼には、印刷７で反射した光が入射し、領域▲３▼には、ホログラム５で反射（回折）した光が入射するように構成されている。
【００３４】
上記構成の動作を説明する。
制御部４７は、ドライバ５１を介してのレーザダイオード２３を駆動する。レーザダイオード２３から出射された光は、コリメータレンズ２５で平行光束とされ、絞り５１で絞られ、ビームスプリッタ５３で一部の光が反射され、被検物１上のエンボス３に照射される。ビームスプリッタ５３を透過した光の一部はビームスプリッタ５５で反射され、被検物１上のホログラム５上に照射される。ビームスプリッタ５５を透過した光の一部はビームスプリッタ５７で反射され、被検物１上の印刷７上に照射される。
【００３５】
エンボス３で反射した光は、集光レンズ６１を介してＣＣＤ６３の領域▲１▼部分に入射する。ＣＣＤ６３の領域▲１▼には、図４に示すように、エンボス３の凹部からの反射光の入射位置（実線位置）と、凸部からの反射光の入射位置（破線位置）とが異なる。
【００３６】
ホログラム５の反射光（回折光）は、集光レンズ６１を介してＣＣＤ６３の領域▲３▼部分に入射する。ＣＣＤ６３の領域▲３▼には、図４に示すように、ホログラム５の情報に応じた光量分布のパターンが入射する。
【００３７】
印刷７で反射した光は、集光レンズ６１を介してＣＣＤ６３の領域▲２▼部分に入射する。ＣＣＤ６３の領域▲２▼には、図４に示すように、印刷７に応じた光量分布の光が入射する。
【００３８】
ＣＣＤ６３からの出力は、アンプ４１で増幅され、ＡＤ変換部４３でデジタル信号に変換され、フレームメモリ４５に記録される。
制御部４７は、フレームメモリ４５に記録された情報から、被検物１上のエンボス３による情報、ホログラム５による情報、印刷７による情報を読み取り、表示部４９に表示する。
【００３９】
上記構成によれば、複数の受光セルからなる共通のＣＣＤ６３と、被検物１での反射光であって、被検物１の各情報を含んだ光をＣＣＤ６３へ導く検出光学系とを備えたことにより、被検物１上に複数の異なるタイプの情報、本実施の形態例では、エンボス３による情報、ホログラム５による情報、印刷７による情報を読み取る場合でも、ＣＣＤ３５を増幅するアンプ４１、ＣＣＤ３５の出力を処理する回路であるＡＤ変換部４３，フレームメモリ４５，制御部４７等が１つで済み、装置がコンパクトで低コストとなる。
【００４０】
尚、本発明は、上記実施の形態例に限定するものではない。上記実施の形態例では、被検物１上に３つの異なる情報、すなわち、エンボス３による情報、ホログラム５による情報、印刷７による情報を設けたが、このうち、二つあればよい。
【００４１】
複数の受光セルからなる共通の受光素子として、ＣＣＤ３５を用いたが、他にＣ−ＭＯＳセンサや二次元の多分割ＰＤアレイでよい。
また、本実施の形態例では、１つの検出光学系と１つの照射光学系で、第１の実施の形態例と同一の効果を得るようにしたことにより、装置をさらにコンパクトにできる。
【００４２】
（３）第３の実施の形態例
第３の実施の形態例の構成図である図５を用いて説明する。尚、本実施の形態例と第１の実施の形態例との同一部分には、同一符号を付し、重複した説明は省略する。
【００４３】
図において、ＬＤ２３を出射した光を被検物１上に照射する照射光学系は、ＬＤ２３からの光を平行光束とするコリメータレンズ２５と、コリメータレンズ２５からの光を被検物１上に照射する対物レンズ２９とから構成されている。
【００４４】
被検物１上で反射した光を受光素子としてのＰＤ６１に導く検出光学系は、被検物１上で反射（回折）した光を集光し、ＰＤ６１の受光面６１ａに照射する集光レンズ６３からなっている。
【００４５】
そして、被検物１と、光源であるＬＤ２３，出射光学系，受光素子としての無分割のＰＤ６１，検出光学系とを相対移動させる駆動機構６３が設けられている。
【００４６】
搬送機構６３により、被検物１が矢印Ｉ方向に移動することで、エンボス３からの反射光のＰＤ６１の受光面６１ａに照射されるか否か，ホログラム５からの回折光の強度、印刷７からの反射光の強度は時間と共に変化し、ＰＤ６１の出力も時間と共に変化する。
【００４７】
ＰＤ６１の出力は、アンプ６５により増幅され、ＡＤ変換部６７でデジタル信号に変換された後、読取部６９に入力される。
７１は、読み取ろうとする被検物１からの反射光（回折光）の時間に伴う強度変化、すなわち、ＰＤ６１の出力の時間に伴う変化のパターンが内部メモリに記録されたテーブル、７３は読取り結果を表示する表示部である。
【００４８】
次に、上記構成の回折素子読取装置の動作を説明する。
制御部７５はドライバ７７を介してＬＤ２３を駆動し、ＬＤ２３からは被検物１方向に光が出射される。
【００４９】
ＬＤ２３からの出射光はコリメータレンズ２５で平行光束とされ、対物レンズ２９を介して被検物１上に入射する。
また、制御部７５はドライバ７９を介して搬送手段６３を駆動し、被検物１を矢印Ｉ方向に搬送する。
【００５０】
対物レンズ２９からの光は、被検物１上のエンボス３，ホログラム５，印刷７の順に走査し、反射光（回折光）は、ＰＤ６１の受光面６１ａに入射する。
ＰＤ６１の出力は、アンプ６５で増幅され、ＡＤ変換部６７でアナログ信号をデジタル信号に変換された後に、読取部６９に入力される。
【００５１】
読取部６９は、内部メモリに記録されたテーブル７１を参照して、時間によって変化するＰＤ６１の出力から、エンボス３，ホログラム５，印刷７の読取りを行なう。
【００５２】
読取り結果は制御部７５に送られ、制御部７５はその読取り結果を表示部７３に表示する。
上記構成によれば、ＰＤ６１からの出力の時間変化に基づいて、回折素子１３の読取りを行なうことができる。
【００５３】
従って、多分割で画素数の多いＣＣＤ等の受光素子を用いず、安価な無分割のＰＤ６１でも検出でき、安価な回折素子読取装置となる。
また、ＰＤ６１の出力の時間変化のパターンが内部メモリに記録されたテーブル７１を設け、読取部６９はテーブル７１を参照して、エンボス３，ホログラム５，印刷７を読み取ることで、読取り精度、および読取り速度が向上する。
【００５４】
さらに、１つのＬＤ２３，１つの出射光学系，１つのＰＤ６１，１つの検出光学系で済み、装置がコンパクトで低コストとなる。
（４）第４の実施の形態例
第４の実施の形態例の構成図である図６を用いて説明する。
【００５５】
本実施の形態例と第３の実施の形態例との相違点は、第３の実施の形態例での対物レンズ２９の替わりに一方向のみ光束を集光する、すなわち、線状光とするシリンドリカルレンズ１２９を用い、第３の実施の形態例での無分割のＰＤ６１の替わりに一次元ＣＣＤ１６１を用いた点である。
【００５６】
このような構成とすることで、二次元での読取が行われ、多くの情報を一度に読み取ることが出来る。
【００５７】
以上述べたように、請求項１記載の発明によれば、複数の領域に分割された共通の受光素子と、前記被検物での反射光、透過光のうちいずれかであって、前記異なるタイプの複数の情報保持体のそれぞれの情報を含んだ光を前記受光素子の異なる領域へそれぞれ導く検出光学系とを備えたことにより、異なるタイプの複数の情報保持体の情報を読み取る場合でも、受光素子の出力を増幅するアンプ、前記受光素子の出力を処理する回路等が１つで済み、装置がコンパクトで低コストとなる。
【００５８】
請求項４記載の発明によれば、  前記照射光学系を出射した光が前記被検物の情報保持体を通過するように、前記被検物と、前記光源，出射光学系，受光素子，前記検出光学系とを相対移動させる搬送手段とを備えたことにより、１つの光源，出射光学系，受光素子，前記検出光学系で済み、装置がコンパクトで低コストとなる。また、前記受光素子の出力の時間変化のパターンが記録されたテーブルと、前記テーブルを参照して、前記受光素子の出力から前記被検物の情報の読取りを行う読取部とを備えたことにより、前記被検物上の情報の読取り精度、および読取り速度が向上する。
【００５９】
請求項６記載の発明によれば、前記照射光学系を出射した光が前記被検物の情報保持体を通過するように、前記被検物と、前記光源，出射光学系，受光素子，前記検出光学系とを相対移動させる搬送手段とを備えたことにより、１つの光源，出射光学系，受光素子，前記検出光学系で済み、装置がコンパクトで低コストとなる。
【００６０】
また、出射光学系は、前記被検物上で前記搬送手段の搬送方向と交差する方向で線状または１次元のスポット光列となるように照射することにより、二次元での読取が行われ、多くの情報を一度に読み取ることができる。
【図面の簡単な説明】
【図１】第１の実施の形態例の構成図である。
【図２】図１のＣＣＤの受光面を説明する図である。
【図３】第２の実施の形態例の構成図である。
【図４】図２のＣＣＤの受光面を説明する図である。
【図５】第３の実施の形態例の構成図である。
【図６】第４の実施の形態例の構成図である。
【符号の説明】
１  被検物
２３  ＬＤ（光源）
３５  ＣＣＤ（複数の受光セルからなる共通の受光素子）
【図１】
0004239379.tif 000002
【図２】
0004239379.tif 000003
【図３】
0004239379.tif 000004
【図４】
0004239379.tif 000005
【図５】
0004239379.tif 000006
【図６】
0004239379.tif 000007